(57)【要約】【課題】情報表示装置において、ユーザが行なう操作を提示することによって操作性を向上させる。【解決手段】少なくとも情報表示装置と入力装置からなり、前記情報表示装置は、フォーカス移動可能位置判定手段と、フォーカス移動可能位置提示手段とを備え、前記入力装置は、カーソル位置の上下左右への移動を指示する４種類のキーを備え、前記入力装置は、前記キーの信号を前記情報表示装置へ送信する。【選択図】図１
2005038226.tif 000002
【特許請求の範囲】
【請求項１】
少なくとも情報表示装置と入力装置からなり、前記情報表示装置は、フォーカス移動可能位置判定手段と、フォーカス移動可能位置提示手段とを備え、前記入力装置は、カーソル位置の上下左右への移動を指示する４種類のキーを備え、前記入力装置は、前記キーの信号を前記情報表示装置へ送信することを特徴とする情報表示システム。
【発明の詳細な説明】
【技術分野】
【０００１】
本発明は、ＷＷＷページやデジタル放送におけるデータ放送などの情報をユーザに表示するため情報表示システムと、この情報表示システムを構成する情報表示装置及び入力装置とに関するものである。
【背景技術】
【０００２】
近年においては、インターネットのＷＷＷページを取得し、その内容を表示する装置が広く世界的に普及している。装置上に表示されたＷＷＷページにはテキストや画像等とともに、制御のためのスクリプト等が付随しており、テキストや画像を選択して操作することにより、画像を変化させたり、リンクされた別文書に遷移するような対話的な操作を可能にしている。ＷＷＷページは記述言語としてＨＴＭＬ（ＨｙｐｅｒＴｅｘｔ  Ｍａｒｋｕｐ  Ｌａｎｇｕａｇｅ）を利用している。
【０００３】
このような装置では情報表示装置に付随した入力装置としてマウスが一般的に用いられている。マウスによる装置は、ＷＷＷページを表示する画面上に、一般的にマウスポインタあるいはマウスカーソルと呼ばれる矢印状の画像を表示し、マウスの物理的な移動を表示上の座標に変換している。
【０００４】
ユーザは、マウスを動かすことでマウスポインタを操作し、マウスに設定されたボタンを押すことで、ＷＷＷページ上の任意の位置に対して操作を指示することができる。
【０００５】
情報表示装置は、支持されたマウスポインタの座標からＷＷＷページ上のどの部分に対する支持であるかを判定し、さらに、それが対話的な操作を行なう操作対象であるかどうかを判定している。
【０００６】
またテレビのようなマウスを備えない装置では、マウスポインタの座標から操作対象を判定するのでなく、あらかじめ操作対象となっている部分を示すフォーカス情報を、例えば、四角の枠で囲むなどして表示している。ユーザはリモコンの上下左右キーなどでそのフォーカスを移動することになる。
【０００７】
また、近年では、放送衛星や通信衛星を利用したテレビジョン放送信号をデジタル伝送するデジタル放送が普及してきており、近い将来においては、地上波デジタル放送の実現化を目指して開発が行われている状況にある。
【０００８】
このようなデジタル放送では、映像／音声だけではなく、他の多様な種類のデータも伝送することが可能であり、視聴者参加型のいわゆる双方向番組の実現も容易となる。
【０００９】
従来のデジタル放送における技術としては、例えば日本国内においては、テレビ放送規格の策定を行っているＡＲＩＢ（電波産業会）でデータ放送を規格化しているが、これは、例えばインターネットのＷＷＷページの記述言語として、世界的に普及しているＨＴＭＬを基本とするＢＭＬ（Ｂｒｏａｄｃａｓｔ  Ｍａｒｋｕｐ  Ｌａｎｇｕａｇｅ）によりコンテンツを記述するようにしている。ＢＭＬの規格では入力装置としてテレビで一般的なリモコンを想定しており、リモコンに備えられた上下左右キーを用いて操作するようになっている。
【００１０】
従来の公知の装置では、ユーザの操作対象となるフォーカス位置と、その位置で上下左右キーを押すことで次にフォーカス位置が移動する箇所をコンテンツに記述している（例えば、特許文献１参照）。
【特許文献１】特開２００１−４５４４７号公報
【発明の開示】
【発明が解決しようとする課題】
【００１１】
しかしながら、マウスによる操作は、例えば家庭のリビングルームなどに置かれるテレビ等で操作するには非常に操作性が悪い。
【００１２】
また、リモコンで操作する場合にも、操作対象であるフォーカスは表示されるもののその対象に対して上下左右キーを押した場合に、フォーカスがどの位置に移動するのかが予測しにくいという問題がある。
【００１３】
例えば、インターネットのＷＷＷページはＨＴＭＬで記述されているが、画面上の配置まで指定されたものが少なく、上下左右キーを操作したときのカーソル位置の移動は情報表示装置が独自に判定している。
【００１４】
また、デジタル放送においては、ＢＭＬで上下左右キーに対する移動先を記述されているが視聴者に分かりやすいフォーカス移動が保証されているわけではなく、ユーザが用意に予測できるわけではない。
【課題を解決するための手段】
【００１５】
上記問題を解決するために、本発明の情報表示システムは、少なくとも情報表示装置と入力装置から構成され、情報表示装置は、フォーカス移動可能位置判定手段と、フォーカス移動可能位置提示手段とを備え、入力装置は、カーソル位置の上下左右への移動を支持する４種類のキーを備え、前記入力装置は、前記キーの信号を前記情報表示装置へ送信することを特徴とするものである。
【発明の効果】
【００１６】
以上説明したように、本発明によれば、情報表示装置は入力装置により入力される受信装置のユーザが意図する機器に対し番組関連情報を送信してもらうことができることになるので、この点でもユーザにとってのサービスの使い勝手が向上されることになる。
【発明を実施するための最良の形態】
【００１７】
図１は、本発明の実施の形態に係る情報表示システムの構成図である。情報表示装置１０１は、文書取得部１０２と、文書管理部１０３と、レイアウト情報管理部１０４と、表示部１０５と、Ｕ／Ｉ制御部１０６と、制御部１０７と、カーソル移動可能位置判定部１０８及びカーソル移動可能位置提示部１０９から構成される。また、入力装置１１０は、上下左右キー１１１から構成される。
【００１８】
図２は、本発明の実施の形態に係る情報表示システムの動作を示すフロー図である。図１を用いて動作を詳述する。
【００１９】
制御部１０７は、情報の表示が要求された場合（Ｓ２０１）、文書取得部１０２に対して情報の取得を指示することにより、文書取得部１０２は文書の取得を行なう（Ｓ２０２）。前記場合、情報の表示要求にはユーザによるＷＷＷページの指定や、データ放送番組の選局に伴うものなどがある。また、文書取得にはインターネットのＷＷＷサーバーからの取得や、データ放送波からの取得、あるいは磁気的または電気的に情報を記憶した記憶媒体等からの取得があり得る。
【００２０】
次に、文書取得部１０２での情報取得が完了すると、取得された情報は文書管理部１０３によってＨＴＭＬやＢＭＬなど記述言語に従った解析がなされ、解析結果は文書、画像など表示単位または操作単位ごとに文書管理部１０３に記憶される（Ｓ２０３）。
【００２１】
さらに、レイアウト情報管理部１０４は、文書管理部１０３に記憶された文書解析結果を元に、表示部１０５に表示するためのレイアウト情報を管理する。すなわち、文書管理部１０３で解析され、表示または操作単位に分割された情報ごとに、画面上に配置するための座標が決定され、分割された情報ごとに座標値が記憶される（Ｓ２０４）。
【００２２】
レイアウト情報管理部１０４は、文書管理部１０３に記憶された、すべての表示単位または操作単位についての座標を記憶すると、表示部１０５が情報を表示する（Ｓ２０５）。
【００２３】
レイアウト情報管理部１０４に記憶された分割された情報の座標値が、表示部１０５の表示領域に収まらない場合には、表示部には、ＷＷＷページの一部が表示されることになる。このとき、全情報に対して、どの部分が表示部１０５に表示されているのかを示す情報は、スクロール情報としてレイアウト情報管理部１０４に記憶される。
【００２４】
レイアウト情報管理部１０４にすべての表示単位または操作単位についての座標を記憶すると図示されていないカーソル位置決定手段によって、ユーザの操作対象となるカーソル位置が決定される。カーソル位置は、文書管理部１０３に記憶された表示単位または操作単位で決定されるが、カーソル位置になりうるか、すなわち、ユーザの操作対象となるか否かはＨＴＭＬ、ＢＭＬなどの記述言語の定めるところによる。
【００２５】
文書管理部１０２はカーソル位置となった表示単位または操作単位をカーソル位置情報として記憶する（Ｓ２０６）。
【００２６】
その後、カーソル移動可能位置判定部１０８は、文書管理部１０３に記憶されたカーソル位置情報から、レイアウト情報管理部１０４に記憶されたカーソルの座標値を取得する。
【００２７】
さらに、取得した座標値を元に、表示部１０５に表示されるときに「上」「下」「左」「右」に配置されるべき表示単位を決定する。カーソルが表示すべき情報の、例えば上端、下端であったり左上隅に存在する場合もあり、表示単位は最大４つである。
【００２８】
カーソル移動可能位置提示部１０９は、カーソル移動可能位置判定手段によって判定された表示単位の座標値を取得し、入力装置１１０から上下左右のカーソル移動が要求されたときに、カーソルが移動し得る箇所に重なるように画像を表示する（Ｓ２０７、Ｓ２０５）。
【００２９】
入力装置１１０は、ユーザがカーソル移動を行なうために用いる上下左右キー１１１を配置した装置であり、ユーザのキー操作に関する信号が、有線または無線で表示装置に送信される。送信された信号はＵ／Ｉ制御部１０６によって取得され、制御部１０７に渡される（Ｓ２０８）。
【００３０】
制御部１０７は、上下左右キー１１１の情報を文書管理部１０２に渡し、文書管理部１０２はその情報にしたがってカーソル位置を移動する。カーソルを移動させて新たにカーソル位置となるべき表示単位を決定するのは、上記説明したカーソル移動可能位置判定部１０８と同じ動作である。
【００３１】
新たにカーソル位置が決定されると、文書管理部１０２はカーソル位置となった表示単位または操作単位をカーソル位置情報として記憶する。その後のカーソル移動可能位置判定部１０８およびカーソル移動可能位置提示部１０９の動作は上記説明と同等である。
【００３２】
なお、上記説明では「上」「下」「左」「右」を、カーソル位置となりうる表示単位の座標値によってカーソル移動可能位置を判定するとしたが、これはＨＴＭＬ等の記述言語の定めるところによるものであって、これに限定するものではない。例えば、データ放送用のＢＭＬを記述言語としているものは、「上」「下」「左」「右」の指示に対してカーソルの移動先を指示しているものがあるが、その場合にはその指示に従うことになる。
【００３３】
また、上記で説明したカーソル移動可能位置提示部１０９は、カーソルが移動可能な表示単位部分に重なるように画像を表示するとしているがユーザが「上」「下」「左」「右」キーを押下したときに移動する位置を示すことが目的である。
【産業上の利用可能性】
【００３４】
本発明の情報表示装置は、入力装置により入力される受信装置のユーザが意図する機器に対し番組関連情報を送信してもらうことが可能であり、そのために表示されたＷＷＷページにおいてフォーカス位置を移動させる機器の用途にも適用できる。
【図面の簡単な説明】
【００３５】
【図１】本発明の実施の形態に係る情報表示システムの構成図
【図２】同実施の形態の情報表示装置において実行される処理動作を示すフローチャート
【符号の説明】
【００３６】
１０１    情報表示装置
１０２    文書取得部
１０３    文書管理部
１０４    レイアウト情報管理部
１０５    表示部
１０６    Ｕ／Ｉ制御部
１０７    制御部
１０８    カーソル移動可能位置判定部
１０９    カーソル移動可能位置提示部
１１０    入力装置
１１１    上下左右キー
【図１】
2005038226.tif 000003
【図２】
2005038226.tif 000004